(57)【要約】【課題】製造効率の良好な偏光板貼り付け装置及びそれを用いた偏光板貼り付け方法を提供する。【解決手段】偏光板貼り付け装置１０は、裏面に接着材が設けられた複数の偏光板１７を順次搬送する偏光板搬送部１１と、偏光板搬送部１１から、吸着面に構成された回転表面１９で偏光板１７の表面を吸着させて順次偏光板１７を受け取る回転ドラム１２と、それぞれ液晶表示パネル２６を吸着固定し、回転ドラム１２の下方に設けられた偏光板貼り付け位置２５に順次搬送されると共に、回転ドラム１２で搬送された偏光板１７を、偏光板１７の裏面と液晶表示パネル２６の表面とを接着させて受け取る複数の吸着ステージ１５と、を備える。【選択図】図１
2010015082.tif 000002
【特許請求の範囲】
【請求項１】
液晶表示パネルに偏光板を貼り付ける偏光板貼り付け装置であって、
裏面に接着材が設けられた複数の偏光板を順次搬送する偏光板搬送部と、
上記偏光板搬送部から、吸着面に構成された回転表面で偏光板の表面を吸着させて順次該偏光板を受け取る回転ドラムと、
それぞれ液晶表示パネルを吸着固定し、上記回転ドラムの下方に設けられた偏光板貼り付け位置に順次搬送されると共に、該回転ドラムで搬送された偏光板を、偏光板の裏面と該液晶表示パネルの表面とを接着させて受け取る複数の吸着ステージと、
を備えた偏光板貼り付け装置。
【請求項２】
請求項１に記載された偏光板貼り付け装置において、
上記回転ドラムの回転表面に吸着されて上記偏光板貼り付け位置に搬送される偏光板の位置を検出する偏光板位置検出部がさらに設けられた偏光板貼り付け装置。
【請求項３】
請求項２に記載された偏光板貼り付け装置において、
上記偏光板位置検出部の所定の検出結果に基づいて、上記吸着ステージの位置を、上記偏光板貼り付け位置において調整する貼り付け位置調整部がさらに設けられた偏光板貼り付け装置。
【請求項４】
請求項３に記載された偏光板貼り付け装置において、
上記回転ドラムの回転表面に吸着されて上記偏光板貼り付け位置に搬送される偏光板の外観を検出する偏光板外観検出部と、
上記貼り付け位置調整部が上記偏光板外観検出部及び上記偏光板位置検出部の所定の検出結果に基づいて、上記吸着ステージを上記回転ドラムから離間させた状態に保持することにより、上記偏光板貼り付け位置において該回転ドラムに吸着されたまま通過した偏光板を、上記偏光板搬送部で該回転ドラムが偏光板を受け取る前に回収する偏光板回収部と、
をさらに備えた偏光板貼り付け装置。
【請求項５】
請求項１に記載された偏光板貼り付け装置において、
上記回転ドラムは、上記回転表面の幅方向に３つ並設されており、
上記吸着ステージ上に吸着固定されて順次搬送される上記液晶表示パネルは、該液晶表示パネルの表面の３箇所において、一度に上記３つの回転ドラムが搬送した偏光板を受け取る偏光板貼り付け装置。
【請求項６】
請求項１に記載された偏光板貼り付け装置において、
上記回転ドラムの回転表面に吸着されて上記偏光板貼り付け位置に搬送される偏光板の帯電を除去する帯電除去部がさらに設けられた偏光板貼り付け装置。
【請求項７】
請求項１に記載された偏光板貼り付け装置において、
上記回転ドラムが、上記偏光板搬送部から上記回転表面で偏光板の表面を吸着させて順次該偏光板を受け取る前に、該回転表面を清掃する回転表面清掃部をさらに備えた偏光板貼り付け装置。
【請求項８】
液晶表示パネルに偏光板を貼り付ける偏光板貼り付け方法であって、
吸着面に構成された回転表面を備えた回転ドラムを準備するステップと、
それぞれ液晶表示パネルを吸着固定し、上記回転ドラムの下方に設けられた偏光板貼り付け位置に順次搬送される複数の吸着ステージを準備するステップと、
上記回転ドラムに、裏面に接着材が設けられた複数の偏光板を順次搬送して、該回転ドラムの回転表面で偏光板の表面を吸着させるステップと、
上記偏光板貼り付け位置に搬送された上記吸着ステージ上の液晶表示パネルの表面と、上記回転ドラムで搬送された偏光板の裏面とを接着させるステップと、
を備えた偏光板貼り付け方法。
【発明の詳細な説明】
【技術分野】
【０００１】
本発明は、偏光板貼り付け装置及びそれを用いた偏光板貼り付け方法に関する。
【背景技術】
【０００２】
従来、液晶表示パネルへの偏光板の貼り付け装置として、例えば、図５に示すようなものが知られている。図５に示す従来の偏光板貼り付け装置１００は、液晶表示パネル１１０を載置するステージ１０１と、偏光板１１１を保持するプレート１０２と、プレート１０２に保持された偏光板１１１を液晶表示パネル１１０上に加圧しながら貼り付けるローラ１０３と、を備えている。
【０００３】
また、その他の偏光板貼り付け装置として、特許文献１には、液晶表示パネルを搬送する第１ローラと、偏光板を液晶表示パネル表面に搬送する第２ローラと、液晶表示パネルを第２ローラに保持する保持機構と、第２ローラを回転させるローラ回転機構と、第２ローラを第１ローラに対して進退させるローラ移動機構と、を備えたものが開示されている。
【特許文献１】特開2005-309371号公報
【発明の開示】
【発明が解決しようとする課題】
【０００４】
図５に示す従来の偏光板貼り付け装置１００は、接着材を塗布した偏光板１１１を、一枚一枚プレート１０２に供給して保持させ、所定位置においてそれをローラ１０３で押さえてプレート１０２から剥離させながら液晶表示パネル１１０に貼り付けていくが、各偏光板１１０ごとにこれらの供給、保持、位置合わせ、剥離、貼り付け工程を行うため、製造効率に問題がある。
【０００５】
また、特許文献１に開示された偏光板貼り付け装置では、偏光板が貼り付けられる際の液晶表示パネルの受け面が第１ローラ表面となっているため、パネルの品質上好ましくない。さらに、この偏光板貼り付け装置でも、各偏光板ごとにこれらの供給、保持、位置合わせ、剥離、貼り付け工程を行うため、製造効率に問題がある。
【０００６】
本発明は、かかる点に鑑みてなされたものであり、その目的とするところは、製造効率の良好な偏光板貼り付け装置及びそれを用いた偏光板貼り付け方法を提供することにある。
【課題を解決するための手段】
【０００７】
本発明の偏光板貼り付け装置は、裏面に接着材が設けられた複数の偏光板を順次搬送する偏光板搬送部と、偏光板搬送部から、吸着面に構成された回転表面で偏光板の表面を吸着させて順次偏光板を受け取る回転ドラムと、それぞれ液晶表示パネルを吸着固定し、回転ドラムの下方に設けられた偏光板貼り付け位置に順次搬送されると共に、回転ドラムで搬送された偏光板を、偏光板の裏面と液晶表示パネルの表面とを接着させて受け取る複数の吸着ステージと、を備えたことを特徴とする。
【０００８】
このような構成によれば、液晶表示パネルに貼り付ける各偏光板ごとにそれらの供給、保持、位置合わせ、剥離、貼り付け工程を行うのではなく、回転ドラムの一回転によって、それらの工程を一連に行うことで偏光板の貼り付けが完了する。さらに、各偏光板ごとの供給、保持、位置合わせ、剥離、貼り付け工程が独立していないため、各工程で製造時間が律速しない。従って、製造効率が良好となる。
【０００９】
また、回転ドラムの回転表面に吸着させた偏光板を、回転ドラムを回転させながら液晶表示パネル上に押圧して貼り付けるため、貼り付け圧力が安定し、偏光板と液晶表示パネルとの間への気泡の混入が抑制される。したがって、装置の品質が良好となる。
【００１０】
また、本発明の偏光板貼り付け装置は、回転ドラムの回転表面に吸着されて偏光板貼り付け位置に搬送される偏光板の位置を検出する偏光板位置検出部がさらに設けられていてもよい。
【００１１】
このような構成によれば、偏光板を液晶表示パネル表面に貼り付ける際に、偏光板の先端を液晶表示パネル表面の所定位置に位置決めして設けるのではなく、回転ドラムの回転表面に全体を載置して吸着させた状態で、偏光板位置検出部によりその位置を検出している。このため、安定して保持された状態で偏光板の位置決めを行うことができ、液晶表示パネルに対して正確な位置に偏光板を貼り付けることができる。
【００１２】
さらに、本発明の偏光板貼り付け装置は、偏光板位置検出部の所定の検出結果に基づいて、吸着ステージの位置を、偏光板貼り付け位置において調整する貼り付け位置調整部がさらに設けられていてもよい。
【００１３】
このような構成によれば、回転ドラムの回転表面に吸着されて搬送される偏光板の位置を、偏光板位置検出部で検出しておき、その検出結果に基づいて、あらかじめ偏光板貼り付け位置で吸着ステージが最適位置に配置されるように調整する。このため、効率良く偏光板を液晶表示パネルに対して最適な位置に貼り付けることができる。
【００１４】
また、本発明の偏光板貼り付け装置は、回転ドラムの回転表面に吸着されて偏光板貼り付け位置に搬送される偏光板の外観を検出する偏光板外観検出部と、貼り付け位置調整部が偏光板外観検出部及び偏光板位置検出部の所定の検出結果に基づいて、吸着ステージを回転ドラムから離間させた状態に保持することにより、偏光板貼り付け位置において回転ドラムに吸着されたまま通過した偏光板を、偏光板搬送部で回転ドラムが偏光板を受け取る前に回収する偏光板回収部と、をさらに備えてもよい。
【００１５】
このような構成によれば、偏光板に不良が検出された際に、偏光板の回転ドラムへの供給や、回転ドラムの回転を止めることなく、当該偏光板を回収することができる。このため、製造効率や製造コストが良好となる。
【００１６】
さらに、本発明の偏光板貼り付け装置は、回転ドラムが、回転表面の幅方向に３つ並設されており、吸着ステージ上に吸着固定されて順次搬送される液晶表示パネルがその表面の３箇所において、一度に３つの回転ドラムが搬送した偏光板を受け取ってもよい。
【００１７】
このような構成によれば、大判の液晶表示パネルを準備し、その表面の３箇所において、一度に３つの回転ドラムが搬送した偏光板を貼り付けた後、分断して３つの液晶表示パネルを得ることができる。このため、製造効率及び製造コストが良好となる。
【００１８】
また、本発明の偏光板貼り付け装置は、回転ドラムの回転表面に吸着されて偏光板貼り付け位置に搬送される偏光板の帯電を除去する帯電除去部がさらに設けられていてもよい。
【００１９】
このような構成によれば、回転ドラムの回転表面に吸着されて偏光板貼り付け位置に搬送される偏光板の帯電を除去する帯電除去部が設けられているため、効率的な除電を律速なく行うことができ、液晶表示パネルの品質が向上する。
【００２０】
さらに、本発明の偏光板貼り付け装置は、回転ドラムが、偏光板搬送部から回転表面で偏光板の表面を吸着させて順次偏光板を受け取る前に、回転表面を清掃する回転表面清掃部をさらに備えてもよい。
【００２１】
このような構成によれば、偏光板搬送部から回転表面で偏光板の表面を吸着させて順次偏光板を受け取る前に、回転表面清掃部が回転ドラムの回転表面を清掃するため、回転ドラムの回転表面の異物を除去し、偏光板をより良好に吸着させて搬送することができる。
【００２２】
本発明の偏光板貼り付け方法は、吸着面に構成された回転表面を備えた回転ドラムを準備するステップと、それぞれ液晶表示パネルを吸着固定し、回転ドラムの下方に設けられた偏光板貼り付け位置に順次搬送される複数の吸着ステージを準備するステップと、回転ドラムに、裏面に接着材が設けられた複数の偏光板を順次搬送して、回転ドラムの回転表面で偏光板の表面を吸着させるステップと、偏光板貼り付け位置に搬送された吸着ステージ上の液晶表示パネルの表面と、回転ドラムで搬送された偏光板の裏面とを接着させるステップと、を備えたことを特徴とする。
【００２３】
このような構成によれば、液晶表示パネルに貼り付ける各偏光板ごとにそれらの供給、保持、位置合わせ、剥離、貼り付け工程を行うのではなく、回転ドラムの一回転によって、それらの工程を一連に行うことで偏光板の貼り付けが完了する。さらに、各偏光板ごとの供給、保持、位置合わせ、剥離、貼り付け工程が独立していないため、各工程で製造時間が律速しない。従って、製造効率が良好となる。
【００２４】
また、回転ドラムの回転表面に吸着させた偏光板を、回転ドラムを回転させながら液晶表示パネル上に押圧して貼り付けるため、貼り付け圧力が安定し、偏光板と液晶表示パネルとの間への気泡の混入が抑制される。したがって、装置の品質が良好となる。
【発明の効果】
【００２５】
本発明によれば、製造効率の良好な偏光板貼り付け装置及びそれを用いた偏光板貼り付け方法を提供することができる。
【発明を実施するための最良の形態】
【００２６】
以下、本発明の実施形態に係る偏光板貼り付け装置及びそれを用いた偏光板貼り付け方法を、図面に基づいて詳細に説明する。尚、本発明は、以下の実施形態に限定されるものではない。
【００２７】
（実施形態１）
（偏光板貼り付け装置１０の構成）
図１に、本実施形態１に係る偏光板貼り付け装置１０の模式図を示す。偏光板貼り付け装置１０は、偏光板搬送部１１、回転ドラム１２、偏光板位置検出部１３、ステージ搬送部１４、吸着ステージ１５、及び、貼り付け位置調整部１６を備えている。
【００２８】
偏光板搬送部１１は、裏面に接着材が設けられた複数の偏光板１７を順次回転ドラム１２へと搬送する。偏光板搬送部１１は、複数の偏光板１７を裏面側から接着材を介して所定の間隔で貼り付けた巻物状の粘着フィルム１８と、粘着フィルム１８に、保護フィルム（不図示）及び接着材（不図示）を介して貼り付けて搬送された偏光板１７を回転ドラム１２の回転表面１９に押圧させるための押さえ部２０と、押さえ部２０で偏光板１７を回転ドラム１２の回転表面１９に押圧して吸着させた後、偏光板１７の剥離された保護フィルムを回収する保護フィルム回収ローラ２１と、保護フィルム回収ローラ２１へ保護フィルムを搬送する搬送ローラ２２と、を備えている。
【００２９】
回転ドラム１２は、偏光板搬送部１１から、吸着面に構成された回転表面１９で偏光板１７の表面を吸着させて順次偏光板１７を受け取る。回転ドラム１２は、ドラム本体２３と、ドラム本体２３の外周に設けられた多孔質の弾性体で構成された吸着部２４とを備ている。ドラム本体２３には不図示の吸引部が設けられており、この吸引部からの吸気によりドラム本体２３の外周に設けられた吸着部２４が、偏光板１７を吸着させる。
【００３０】
偏光板位置検出部１３は、回転ドラム１２の回転表面１９に吸着されて回転ドラム１２の下方に設けられた偏光板貼り付け位置２５に搬送される偏光板１７の位置を検出する。
【００３１】
ステージ搬送部１４は、回転ドラム１２の下方に設けられており、後述の吸着ステージ１５が偏光板貼り付け位置２５を通過するように搬送する。
【００３２】
吸着ステージ１５は、ステージ搬送部１４上に所定の間隔で複数設けられている。吸着ステージ１５は、液晶表示パネル２６を吸着固定し、偏光板貼り付け位置２５に順次搬送され、回転ドラム１２で搬送された偏光板１７を、偏光板１７の接着面と液晶表示パネル２６の表面とを接着させて受け取る。吸着ステージ１５の表面には不図示の吸気口が複数形成されており、不図示の吸引部から延びる吸気路がこの吸気口に連通している。これにより、吸着ステージ１５は、その上面で液晶表示パネル２６を吸着固定することができる。
【００３３】
貼り付け位置調整部１６は、偏光板位置検出部１３の所定の検出結果に基づいて、吸着ステージ１５の位置を、偏光板貼り付け位置２５において調整する。
【００３４】
（偏光板貼り付け装置１０を用いた偏光板貼り付け方法）
次に、本発明の実施形態１に係る偏光板貼り付け装置１０を用いた偏光板貼り付け方法について説明する。
【００３５】
まず、偏光板搬送部１１において、裏面に接着材が設けられた複数の偏光板１７を貼り付けた巻物状の粘着フィルム１８を、回転する回転ドラム１２の上部へ送る。
【００３６】
次に、回転ドラム１２の上部に設けられた押さえ部２０で、粘着フィルム１８に貼り付けて搬送された偏光板１７を回転ドラム１２の回転表面１９に押圧させる。回転ドラム１２の回転表面１９に押圧された偏光板１７は、回転ドラム１２の回転表面１９で吸着されて粘着フィルム１８から剥離し、そのまま回転ドラム１２の下方の偏光板貼り付け位置２５まで回転ドラム１２によって搬送される。このとき、偏光板１７より剥離された保護フィルムは、押さえ部２０から搬送ローラ２２上を通って、保護フィルム回収ローラ２１で回収される。
【００３７】
続いて、回転ドラム１２で搬送される偏光板１７の位置を偏光板位置検出部１３で検出し、その検出結果を貼り付け位置調整部１６へ送る。偏光板１７の位置の検出結果を受け取った貼り付け位置調整部１６は、その検出結果に基づいて、回転ドラム１２に対するステージ搬送部１４及び吸着ステージ１５の位置・高さを調整する。
【００３８】
次に、回転ドラム１２によって偏光板貼り付け位置２５まで搬送された偏光板１７は、ステージ搬送部１４で次々と搬送される吸着ステージ１５上に設けられた液晶表示パネル２６上に押圧され、偏光板１７の接着面と液晶表示パネル２６の表面とが接着材により接着される。
【００３９】
続いて、液晶表示パネル２６上に押圧され、その表面に接着した偏光板１７は、回転ドラム１２の回転と共に、その回転表面１９から剥離し、液晶表示パネル２６と共にステージ搬送部１４により搬出される。
【００４０】
偏光板１７が回転表面１９から剥離した回転ドラム１２は、そのまま回転を続けて元の位置に戻り、再び粘着フィルム１８から押さえ部２０によって偏光板１７を受け取り、偏光板貼り付け位置２５まで搬送する。
【００４１】
このような操作を連続して繰り返すことで、偏光板貼り付け装置１０は、複数の偏光板１７を効率良く液晶表示パネル２６に貼り付けている。
【００４２】
（実施形態１の作用効果）
上述の構成によれば、液晶表示パネル２６に貼り付ける各偏光板１７ごとにそれらの供給、保持、位置合わせ、剥離、貼り付け工程を行うのではなく、回転ドラム１２の一回転によって、それらの工程を一連に行うことで偏光板１７の貼り付けが完了する。さらに、各偏光板１７ごとの供給、保持、位置合わせ、剥離、貼り付け工程が独立していないため、各工程で製造時間が律速しない。従って、製造効率が良好となる。
【００４３】
また、回転ドラム１２の回転表面１９に吸着されて搬送される偏光板１７の位置を、偏光板位置検出部１３で検出しておき、その検出結果に基づいて、あらかじめ偏光板貼り付け位置２５で吸着ステージ１５が最適位置に配置されるように調整する。このため、効率良く偏光板１７を液晶表示パネル２６に対して最適な位置に貼り付けることができる。
【００４４】
（実施形態２）
（偏光板貼り付け装置３０の構成）
図２は、本発明の実施形態２に係る偏光板貼り付け装置３０の模式図である。偏光板貼り付け装置３０において、実施形態１の偏光板貼り付け装置１０と同様の構成要素については、同符号を付し、その説明を省略する。
【００４５】
偏光板貼り付け装置３０は、偏光板搬送部１１、回転ドラム１２、偏光板外観検出部３１、偏光板位置検出部１３、帯電除去部３２、ステージ搬送部１４、吸着ステージ１５、貼り付け位置調整部１６、偏光板回収部３３、及び、回転表面清掃部３４を備えている。
【００４６】
偏光板外観検出部３１は、偏光板位置検出部１３の前段に設けられ、回転ドラム１２の回転表面１９に吸着されて偏光板貼り付け位置２５に搬送される偏光板１７の外観を検出する。
【００４７】
帯電除去部３２は、偏光板位置検出部１３の後段に設けられ、回転ドラム１２の回転表面１９に吸着されて偏光板貼り付け位置２５に搬送される偏光板１７の帯電を除去する。
【００４８】
貼り付け位置調整部１６は、偏光板外観検出部３１及び偏光板位置検出部１３の所定の検出結果に基づいて、吸着ステージ１５の位置を偏光板貼り付け位置２５において調整するが、偏光板外観検出部３１が偏光板１７に不良を検出したときは、吸着ステージ１５を回転ドラム１２から離間させた状態に保持することにより、偏光板貼り付け位置２５において偏光板１７を回転ドラム１２に吸着させたまま通過させる。
【００４９】
偏光板回収部３３は、偏光板外観検出部３１が偏光板１７に不良を検出した際、貼り付け位置調整部１６の調整によって偏光板貼り付け位置２５を回転ドラム１２に吸着されたまま通過した偏光板１７を、偏光板搬送部１１で回転ドラム１２が偏光板１７を受け取る前に回収する。偏光板回収部３３は、不良品と判断されて液晶表示パネル２６に貼り付けられずに偏光板貼り付け位置２５を通過する偏光板１７を、回転ドラム１２から受け取る長尺状の粘着テープ３５と、粘着テープ３５を搬出する粘着テープ搬出ローラ３６と、偏光板１７を受け取った粘着テープ３５を回収する粘着テープ回収ローラ３７と、粘着テープ回収ローラ３７へ粘着テープ３５を搬送する搬送ローラ３８とを備えている。
【００５０】
回転表面清掃部３４は、回転ドラム１２が偏光板搬送部１１から回転表面１９で偏光板１７の表面を吸着させて順次偏光板１７を受け取る前に、回転表面１９を清掃する。
【００５１】
（偏光板貼り付け装置３０を用いた偏光板貼り付け方法）
次に、本発明の実施形態２に係る偏光板貼り付け装置３０を用いた偏光板貼り付け方法について説明する。
【００５２】
まず、偏光板搬送部１１において、裏面に接着材が設けられた複数の偏光板１７を貼り付けた巻物状の粘着フィルム１８を、回転する回転ドラム１２の上部へ送る。
【００５３】
次に、回転ドラム１２の上部に設けられた押さえ部２０で、粘着フィルム１８に貼り付けて搬送された偏光板１７を回転ドラム１２の回転表面１９に押圧させる。回転ドラム１２の回転表面１９に押圧された偏光板１７は、回転ドラム１２の回転表面１９で吸着されて粘着フィルム１８から剥離し、そのまま回転ドラム１２の下方の偏光板貼り付け位置２５まで回転ドラム１２によって搬送される。このとき、偏光板１７より剥離された保護フィルムは、押さえ部２０から搬送ローラ２２上を通って、保護フィルム回収ローラ２１で回収される。
【００５４】
続いて、回転ドラム１２で搬送される偏光板１７の外観及び位置をそれぞれ偏光板外観検出部３１と偏光板位置検出部１３とで検出し、その検出結果を貼り付け位置調整部１６へ送る。偏光板１７の位置の検出結果を受け取った貼り付け位置調整部１６は、その検出結果に基づいて、回転ドラム１２に対するステージ搬送部１４及び吸着ステージ１５の位置・高さを調整する。
【００５５】
次いで、回転ドラム１２の回転表面１９に吸着されて偏光板貼り付け位置２５に搬送される偏光板１７の帯電を帯電除去部３２によって除去する。
【００５６】
次に、回転ドラム１２によって偏光板貼り付け位置２５まで搬送された偏光板１７は、ステージ搬送部１４で次々と搬送される吸着ステージ１５上に設けられた液晶表示パネル２６上に押圧され、偏光板１７の接着面と液晶表示パネル２６の表面とが接着材により接着される。
【００５７】
続いて、液晶表示パネル２６上に押圧され、その表面に接着した偏光板１７は、回転ドラム１２の回転と共に、その回転表面１９から剥離し、液晶表示パネル２６と共にステージ搬送部１４により搬出される。
【００５８】
偏光板１７が回転表面１９から剥離した回転ドラム１２は、そのまま回転を続けて元の位置に戻り、再び粘着フィルム１８から押さえ部２０によって偏光板１７を受け取り、偏光板貼り付け位置２５まで搬送する。
【００５９】
一方、偏光板外観検出部３１により偏光板１７が不良品であると判断された場合は、ステージ搬送部１４が止まると共に、貼り付け位置調整部１６が、吸着ステージ１５を回転ドラム１２から離間させた状態に保持することにより、偏光板貼り付け位置２５において偏光板１７を回転ドラム１２に吸着させたまま通過させる。回転ドラム１２に吸着されたまま偏光板貼り付け位置２５を通過した偏光板１７は、偏光板回収部３３により、偏光板搬送部１１で回転ドラム１２が偏光板１７を受け取る前に回収される。
【００６０】
このような操作を連続して繰り返すことで、偏光板貼り付け装置３０は、複数の偏光板１７を効率良く液晶表示パネル２６に貼り付けている。
【００６１】
（実施形態２の作用効果）
上述の構成によれば、偏光板１７に不良が検出された際に、偏光板１７の回転ドラム１２への供給や、回転ドラム１２の回転を止めることなく、当該偏光板１７を回収することができる。このため、製造効率や製造コストが良好となる。
【００６２】
また、回転ドラム１２の回転表面１９に吸着されて偏光板貼り付け位置２５に搬送される偏光板１７の帯電を除去する帯電除去部３２が設けられているため、効率的な除電を律速なく行うことができ、液晶表示パネルの品質が向上する。
液晶表示パネル２６により精度良く容易に偏光板１７を貼り付けることができる。
【００６３】
さらに、偏光板搬送部１１から回転表面１９で偏光板１７の表面を吸着させて順次偏光板１７を受け取る前に、回転表面清掃部３４が回転ドラム１２の回転表面１９を清掃するため、回転ドラム１２の回転表面１９の異物を除去し、偏光板１７をより良好に吸着させて搬送することができる。
【００６４】
（実施形態３）
次に、本発明の実施形態３に係る偏光板貼り付け装置４０について説明する。図３は、本発明の実施形態３に係る偏光板貼り付け装置４０の回転ドラム４１を、回転表面４２側から見た模式図である。偏光板貼り付け装置４０は、実施形態１と同様に、偏光板搬送部、回転ドラム、偏光板位置検出部、ステージ搬送部、吸着ステージ、及び、貼り付け位置調整部を備えているが、回転ドラム４１が図３に示すように３つ並設されている点で、実施形態１と異なっている。なお、図３において、偏光板搬送部、偏光板位置検出部、ステージ搬送部、及び、貼り付け位置調整部については図示を省略している。
【００６５】
偏光板貼り付け装置４０の回転ドラム４１は、回転表面４２の幅方向に３つ並設されており、回転ドラム４１の下方に設けられる吸着ステージ４３は、吸着ステージ４３上に吸着固定されて順次搬送される液晶表示パネル４４の表面の３箇所において、一度に３つの回転ドラムが搬送した偏光板を受け取る。
【００６６】
また、偏光板搬送部は、３つ並設された回転ドラム４１のそれぞれに偏光板を送るため、偏光板の搬送ラインを３つ備えている。
【００６７】
偏光板貼り付け装置４０によって偏光板４６を貼り付けられた液晶表示パネル４４（大判のパネル）は、図４に示すように、その表面に３つの偏光板４６が並列して設けられている。この後、各偏光板４６が貼り付けられた領域ごとにパネル分断を行うことにより、偏光板４６をそれぞれ備えた液晶表示パネルを作製する。
【００６８】
なお、本実施形態において、例として回転ドラム４１が３つ並設されているものを説明したが、これに限られず、回転ドラム４１は２つ又は４つ以上並設されていてもよい。
【００６９】
（実施形態３の作用効果）
上述の構成によれば、大判の液晶表示パネル４４を準備し、その表面の３箇所において、一度に３つの回転ドラム４１が搬送した偏光板４６を貼り付けた後、分断して３つの液晶表示パネルを得ることができる。このため、製造効率及び製造コストが良好となる。
【産業上の利用可能性】
【００７０】
以上説明したように、本発明は、偏光板貼り付け装置及びそれを用いた偏光板貼り付け方法について有用である。
【図面の簡単な説明】
【００７１】
【図１】実施形態１に係る偏光板貼り付け装置の模式図である。
【図２】実施形態２に係る偏光板貼り付け装置の模式図である。
【図３】実施形態３に係る偏光板貼り付け装置の模式図である。
【図４】実施形態３に係る偏光板が貼り付けられた液晶表示パネルの模式図である。
【図５】従来の偏光板貼り付け装置の模式図である。
【符号の説明】
【００７２】
１０、３０、４０      偏光板貼り付け装置
１１      偏光板搬送部
１２、４１      回転ドラム
１３      偏光板位置検出部
１４      ステージ搬送部
１５、４３      吸着ステージ
１６      貼り付け位置調整部
１７、４６      偏光板
１９、４２      回転表面
２０      押さえ部
２５      偏光板貼り付け位置
２６、４４      液晶表示パネル
３１      偏光板外観検出部
３２      帯電除去部
３３      偏光板回収部
３４      回転表面清掃部
【図１】
2010015082.tif 000003
【図２】
2010015082.tif 000004
【図３】
2010015082.tif 000005
【図４】
2010015082.tif 000006
【図５】
2010015082.tif 000007